(57)【要約】  本発明は、情報処理方法及び装置、プログラム及び記録媒体に関し、コンピュータ技術分野に属する。前記方法は、ユーザが情報入力インターフェースを介して入力したメッセージを受信し、前記ユーザの入力したメッセージを認識するステップと、認識されたメッセージ内容に基づき前記メッセージ内容に対応する応用プログラムを呼出し、前記応用プログラムにより前記メッセージ内容を処理するステップと、前記応用プログラムにより前記メッセージ内容を処理して得た処理結果を受信するステップと、前記情報入力インターフェースに、前記ユーザの入力したメッセージを表示するとともに、前記処理結果を処理して表示するステップとを含む。本発明によれば、情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。【選択図】図１
2018504865.tif 000002
【特許請求の範囲】
【請求項１】
端末に適用され、
ユーザが情報入力インターフェースを介して入力したメッセージを受信し、前記ユーザの入力したメッセージを認識するステップと、
認識されたメッセージ内容に基づき前記メッセージ内容に対応する応用プログラムを呼出し、前記応用プログラムにより前記メッセージ内容を処理するステップと、
前記応用プログラムにより前記メッセージ内容を処理して得た処理結果を受信するステップと、
前記情報入力インターフェースに、前記ユーザの入力したメッセージを表示するとともに、前記処理結果を処理して表示するステップと、
を含むことを特徴とする情報処理方法。
【請求項２】
メッセージ内容と応用プログラムの間の呼出し対応関係を決定し、前記対応関係を保存するステップをさらに含むことを特徴とする請求項１に記載の情報処理方法。
【請求項３】
前記認識されたメッセージ内容に基づき前記メッセージ内容に対応する応用プログラムを呼出し、前記応用プログラムにより前記メッセージ内容を処理するステップは、
前記ユーザの入力したメッセージが通信情報であると認識した場合、前記端末における住所録を呼出して前記通信情報を前記住所録に伝送し、前記住所録に基づき前記通信情報に対してマッチングの照会を行うステップを含み、
前記住所録は自機中の電話帳又はＩＭアプリにおける住所録を含む
ことを特徴とする請求項１又は２に記載の情報処理方法。
【請求項４】
前記情報入力インターフェースに、前記ユーザの入力したメッセージを表示するとともに、前記処理結果を処理して表示するステップは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するステップ
を含むことを特徴とする請求項３に記載の情報処理方法。
【請求項５】
前記認識されたメッセージ内容に基づき前記メッセージ内容に対応する応用プログラムを呼出し、前記応用プログラムにより前記メッセージ内容を処理するステップは、
前記ユーザの入力したメッセージが計算式であると認識した場合、前記端末における電卓を呼出して前記計算式を前記電卓に伝送し、前記電卓により前記計算式を処理するステップ
を含むことを特徴とする請求項１又は２に記載の情報処理方法。
【請求項６】
前記情報入力インターフェースに、前記ユーザの入力したメッセージを表示するとともに、前記処理結果を処理して表示するステップは、
前記情報入力インターフェースに、前記ユーザの入力した計算式を表示するとともに、前記電卓で前記計算式を処理した計算結果を前記計算式の後に表示するステップ、又は、
前記情報入力インターフェースに、前記ユーザの入力した計算式を表示するとともに、入力情報オプション項目に前記電卓の識別子又は前記電卓で前記計算式を処理した計算結果を表示するステップ
を含むことを特徴とする請求項５に記載の情報処理方法。
【請求項７】
前記認識されたメッセージ内容に基づき前記メッセージ内容に対応する応用プログラムを呼出し、前記応用プログラムにより前記メッセージ内容を処理するステップは、
前記ユーザの入力したメッセージが数字であると認識した場合、前記端末におけるペイアプリを呼出して前記数字を前記ペイアプリに伝送し、前記ペイアプリにより前記数字を処理するステップを含むことを特徴とする請求項１又は２に記載の情報処理方法。
【請求項８】
前記情報入力インターフェースに、前記ユーザの入力したメッセージを表示するとともに、前記処理結果を処理して表示するステップは、
前記情報入力インターフェースに、前記ユーザの入力した数字を表示するとともに、前記ペイアプリの識別子を表示するか、又はユーザに前記数字に関連する振込み操作を行うか否かをプロンプトするステップを含むことを特徴とする請求項７に記載の情報処理方法。
【請求項９】
前記認識されたメッセージ内容に基づき前記メッセージ内容に対応する応用プログラムを呼出し、前記応用プログラムにより前記メッセージ内容を処理するステップは、
前記ユーザの入力したメッセージが通信情報、計算式又は数字以外の単語であると認識した場合、端末システムを呼出して前記単語を前記端末システムに伝送し、前記端末システムにより前記単語に基づき自機にインストールされたアプリを照会することにより前記単語に対してマッチングを行うステップを含むことを特徴とする請求項１又は２に記載の情報処理方法。
【請求項１０】
前記情報入力インターフェースに、前記ユーザの入力したメッセージを表示するとともに、前記処理結果を処理して表示するステップは、
前記情報入力インターフェースに、前記単語を表示するとともに、前記端末にインストールされて前記単語と関連付けられている応用プログラムの識別子を表示するステップを含むことを特徴とする請求項９に記載の情報処理方法。
【請求項１１】
前記認識されたメッセージ内容に基づき前記メッセージ内容に対応する応用プログラムを呼出し、前記応用プログラムにより前記メッセージ内容を処理するステップは、
前記ユーザの入力したメッセージが一つの完全な文章であると認識した場合、前記端末にインストールされた所定の応用プログラムを呼出して前記文章を前記所定の応用プログラムに伝送し、前記所定の応用プログラムにより前記文章を処理するステップを含むことを特徴とする請求項１又は２に記載の情報処理方法。
【請求項１２】
前記情報入力インターフェースに、前記ユーザの入力したメッセージを表示するとともに、前記処理結果を処理して表示するステップは、
前記情報入力インターフェースに、前記ユーザの入力したメッセージを表示するとともに、前記所定の応用プログラムの識別子を表示するか、又は前記所定の応用プログラムの前記文章に対する処理結果を表示するステップを含むことを特徴とする請求項１１に記載の情報処理方法。
【請求項１３】
端末に適用され、
ユーザが情報入力インターフェースを介して入力したメッセージを受信し、前記ユーザの入力したメッセージを認識するように構成される情報認識モジュールと、
認識されたメッセージ内容に基づき前記メッセージ内容に対応する応用プログラムを呼出し、前記応用プログラムにより前記メッセージ内容を処理するように構成されるアプリ呼出しモジュールと、
前記応用プログラムにより前記メッセージ内容を処理して得た処理結果を受信するように構成される情報受信モジュールと、
前記情報入力インターフェースに、前記ユーザの入力したメッセージを表示するとともに、前記処理結果を処理して表示するように構成される情報表示モジュールと、
を含むことを特徴とする情報処理装置。
【請求項１４】
メッセージ内容と応用プログラムの間の呼出し対応関係を決定し、前記対応関係を保存するように構成される情報保存モジュールをさらに含むことを特徴とする請求項１３に記載の情報処理装置。
【請求項１５】
前記ユーザの入力したメッセージが通信情報であると認識した場合、前記アプリ呼出しモジュールは、前記端末における住所録を呼出して前記通信情報を前記住所録に伝送し、前記住所録に基づき前記通信情報に対してマッチングの照会を行うように構成され、
前記住所録は自機中の電話帳又はＩＭアプリにおける住所録を含む
ことを特徴とする請求項１３又は１４に記載の情報処理装置。
【請求項１６】
前記情報表示モジュールは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するように構成される第１表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するように構成される第２表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するように構成される第３表示サブモジュール
を含むことを特徴とする請求項１５に記載の情報処理装置。
【請求項１７】
前記ユーザの入力したメッセージが計算式であると認識した場合、前記アプリ呼出しモジュールは、前記端末における電卓を呼出して前記計算式を前記電卓に伝送し、前記電卓により前記計算式を処理するように構成されることを特徴とする請求項１３又は１４に記載の情報処理装置。
【請求項１８】
前記情報表示モジュールは、
前記情報入力インターフェースに、前記ユーザの入力した計算式を表示するとともに、前記電卓で前記計算式を処理した計算結果を前記計算式の後に表示するように構成される第４表示サブモジュール、又は、
前記情報入力インターフェースに、前記ユーザの入力した計算式を表示するとともに、入力情報オプション項目に前記電卓の識別子又は前記電卓で前記計算式を処理した計算結果を表示するように構成される第５表示サブモジュール
を含むことを特徴とする請求項１７に記載の情報処理装置。
【請求項１９】
前記ユーザの入力したメッセージが数字であると認識した場合、前記アプリ呼出しモジュールは、前記端末におけるペイアプリを呼出して前記数字を前記ペイアプリに伝送し、前記ペイアプリにより前記数字を処理するように構成されることを特徴とする請求項１３又は１４に記載の情報処理装置。
【請求項２０】
前記情報表示モジュールは、
前記情報入力インターフェースに、前記ユーザの入力した数字を表示するとともに、前記ペイアプリの識別子を表示するか、又はユーザに前記数字に関連する振込み操作を行うか否かをプロンプトするように構成されることを特徴とする請求項１９に記載の情報処理装置。
【請求項２１】
前記ユーザの入力したメッセージが通信情報、計算式又は数字以外の単語であると認識した場合、前記アプリ呼出しモジュールは、端末システムを呼出して前記単語を前記端末システムに伝送し、前記端末システムにより前記単語に基づき自機にインストールされたアプリを照会することにより前記単語に対してマッチングを行うように構成されることを特徴とする請求項１３又は１４に記載の情報処理装置。
【請求項２２】
前記情報表示モジュールは、
前記情報入力インターフェースに、前記単語を表示するとともに、前記端末にインストールされて前記単語と関連付けられている応用プログラムの識別子を表示するように構成されることを特徴とする請求項２１に記載の情報処理装置。
【請求項２３】
前記ユーザの入力したメッセージが一つの完全な文章であると認識した場合、前記アプリ呼出しモジュールは、前記端末にインストールされた所定の応用プログラムを呼出して前記文章を前記所定の応用プログラムに伝送し、前記所定の応用プログラムにより前記文章を処理するように構成されることを特徴とする請求項１３又は１４に記載の情報処理装置。
【請求項２４】
前記情報表示モジュールは、
前記情報入力インターフェースに、前記ユーザの入力したメッセージを表示するとともに、前記所定の応用プログラムの識別子を表示するか、又は前記所定の応用プログラムの前記文章に対する処理結果を表示するように構成されることを特徴とする請求項２３に記載の情報処理装置。
【請求項２５】
プロセッサと、
前記プロセッサにより実行可能なインストラクションを記憶するためのメモリと、
を備え、
前記プロセッサは、
ユーザが情報入力インターフェースを介して入力したメッセージを受信し、前記ユーザの入力したメッセージを認識し、
認識されたメッセージ内容に基づき前記メッセージ内容に対応する応用プログラムを呼出し、前記応用プログラムにより前記メッセージ内容を処理し、
前記応用プログラムにより前記メッセージ内容を処理して得た処理結果を受信し、
前記情報入力インターフェースに、前記ユーザの入力したメッセージを表示するとともに、前記処理結果を処理して表示する
ように構成されることを特徴とする情報処理装置。
【発明の詳細な説明】
【技術分野】
【０００１】
本発明は、コンピュータ技術分野に関し、特に情報処理方法及び装置に関する。
【背景技術】
【０００２】
端末技術の発展に伴って、ユーザは端末にインストールされたさまざまな応用プログラムを利用して、例えば、ショートメッセージの発送、計算、費用の納付、振込みなどのさまざまな操作ができるようになっており、これはユーザの生活に大きな利便性をもたらしている。現在、アプリの間に連関性がほとんどないため、ユーザは機能の異なるアプリを使って異なる機能を実現しなければならならず、複数の応用プログラムの間の転換を行わなければならない。
【発明の概要】
【０００３】
本発明の実施例は情報処理方法及び装置を提供し、その技術案は下記の通りである。
【０００４】
本発明の実施例に係る第１様態によれば、
端末に適用され、
ユーザが情報入力インターフェースを介して入力したメッセージを受信し、前記ユーザの入力したメッセージを認識するステップと、
認識されたメッセージ内容に基づき前記メッセージ内容に対応する応用プログラムを呼出し、前記応用プログラムにより前記メッセージ内容を処理するステップと、
前記応用プログラムにより前記メッセージ内容を処理して得た処理結果を受信するステップと、
前記情報入力インターフェースに、前記ユーザの入力したメッセージを表示するとともに、前記処理結果を処理して表示するステップと、
を含む情報処理方法を提供する。
【０００５】
当該技術案によれば、情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【０００６】
前記方法は、
メッセージ内容と応用プログラムの間の呼出し対応関係を決定し、前記対応関係を保存するステップをさらに含んでもよい。
【０００７】
前記認識されたメッセージ内容に基づき前記メッセージ内容に対応する応用プログラムを呼出し、前記応用プログラムにより前記メッセージ内容を処理するステップは、
前記ユーザの入力したメッセージが通信情報であると認識した場合、前記端末における住所録を呼出して前記通信情報を前記住所録に伝送し、前記住所録に基づき前記通信情報に対してマッチングの照会を行うステップを含み、前記住所録は自機中の電話帳又はＩＭアプリにおける住所録を含んでもよい。
【０００８】
前記情報入力インターフェースに、前記ユーザの入力したメッセージを表示するとともに、前記処理結果を処理して表示するステップは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するステップ
を含んでもよい。
【０００９】
本実施例において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００１０】
前記認識されたメッセージ内容に基づき前記メッセージ内容に対応する応用プログラムを呼出し、前記応用プログラムにより前記メッセージ内容を処理するステップは、
前記ユーザの入力したメッセージが計算式であると認識した場合、前記端末における電卓を呼出して前記計算式を前記電卓に伝送し、前記電卓により前記計算式を処理するステップ
を含んでもよい。
【００１１】
前記情報入力インターフェースに、前記ユーザの入力したメッセージを表示するとともに、前記処理結果を処理して表示するステップは、
前記情報入力インターフェースに、前記ユーザの入力した計算式を表示するとともに、前記電卓で前記計算式を処理した計算結果を前記計算式の後に表示するステップ、又は、
前記情報入力インターフェースに、前記ユーザの入力した計算式を表示するとともに、入力情報オプション項目に前記電卓の識別子又は前記電卓で前記計算式を処理した計算結果を表示するステップ
を含んでもよい。
【００１２】
本実施例において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００１３】
前記認識されたメッセージ内容に基づき前記メッセージ内容に対応する応用プログラムを呼出し、前記応用プログラムにより前記メッセージ内容を処理するステップは、
前記ユーザの入力したメッセージが数字であると認識した場合、前記端末におけるペイアプリを呼出して前記数字を前記ペイアプリに伝送し、前記ペイアプリにより前記数字を処理するステップを含んでもよい。
【００１４】
前記情報入力インターフェースに、前記ユーザの入力したメッセージを表示するとともに、前記処理結果を処理して表示するステップは、
前記情報入力インターフェースに、前記ユーザの入力した数字を表示するとともに、前記ペイアプリの識別子を表示するか、又はユーザに前記数字に関連する振込み操作を行うか否かをプロンプトするステップを含んでもよい。
【００１５】
本実施例において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００１６】
前記認識されたメッセージ内容に基づき前記メッセージ内容に対応する応用プログラムを呼出し、前記応用プログラムにより前記メッセージ内容を処理するステップは、
前記ユーザの入力したメッセージが前記通信情報、計算式又は数字以外の単語であると認識した場合、端末システムを呼出して前記単語を前記端末システムに伝送し、前記端末システムにより前記単語に基づき自機にインストールされたアプリを照会することにより前記単語に対してマッチングを行うステップを含んでもよい。
【００１７】
前記情報入力インターフェースに、前記ユーザの入力したメッセージを表示するとともに、前記処理結果を処理して表示するステップは、
前記情報入力インターフェースに、前記単語を表示するとともに、前記端末にインストールされて前記単語と関連付けられている応用プログラムの識別子を表示するステップを含んでもよい。
【００１８】
当該技術案において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００１９】
前記認識されたメッセージ内容に基づき前記メッセージ内容に対応する応用プログラムを呼出し、前記応用プログラムにより前記メッセージ内容を処理するステップは、
前記ユーザの入力したメッセージが一つの完全な文章であると認識した場合、前記端末にインストールされた所定の応用プログラムを呼出して前記文章を前記所定の応用プログラムに伝送し、前記所定の応用プログラムにより前記文章を処理するステップを含んでもよい。
【００２０】
前記情報入力インターフェースに、前記ユーザの入力したメッセージを表示するとともに、前記処理結果を処理して表示するステップは、
前記情報入力インターフェースに、前記ユーザの入力したメッセージを表示するとともに、前記所定の応用プログラムの識別子を表示するか、又は前記所定の応用プログラムの前記文章に対する処理結果を表示するステップを含んでもよい。
【００２１】
当該技術案において、ユーザが情報入力インターフェース（例えば、ショートメッセージの入力インターフェース）に一つの文章（例えば“私今××広場の噴水付近にいる”）を入力した場合、端末にインストールされた所定の応用プログラム（例えばマップ）を呼び出すことができ、当該マップにおいて“××広場の噴水”を検索して、検索された住所を情報入力インターフェースにリターンして、ユーザが選択使用するようにすることにより、ユーザが前記情報を編集するとともに、前記情報に関連する情報を迅速に分かるようにする。
【００２２】
本発明の実施例に係る第２様態によれば、
端末に適用され、
ユーザが情報入力インターフェースを介して入力したメッセージを受信し、前記ユーザの入力したメッセージを認識するように構成される情報認識モジュールと、
認識されたメッセージ内容に基づき前記メッセージ内容に対応する応用プログラムを呼出し、前記応用プログラムにより前記メッセージ内容を処理するように構成されるアプリ呼出しモジュールと、
前記応用プログラムにより前記メッセージ内容を処理して得た処理結果を受信するように構成される情報受信モジュールと、
前記情報入力インターフェースに、前記ユーザの入力したメッセージを表示するとともに、前記処理結果を処理して表示するように構成される情報表示モジュールと、
を含む情報処理装置を提供する。
【００２３】
当該技術案によれば、情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００２４】
前記装置は、メッセージ内容と応用プログラムの間の呼出し対応関係を決定し、前記対応関係を保存するように構成される情報保存モジュールをさらに含んでもよい。
【００２５】
前記ユーザの入力したメッセージが通信情報であると認識した場合、前記アプリ呼出しモジュールは、前記端末における住所録を呼出して前記通信情報を前記住所録に伝送し、前記住所録に基づき前記通信情報に対してマッチングの照会を行うように構成されて、その中前記住所録は自機中の電話帳又はＩＭアプリにおける住所録を含んでもよい。
【００２６】
前記情報表示モジュールは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するように構成される第１表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するように構成される第２表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するように構成される第３表示サブモジュール
を含んでもよい。
【００２７】
本実施例において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００２８】
前記ユーザの入力したメッセージが計算式であると認識した場合、前記アプリ呼出しモジュールは、前記端末における電卓を呼出して前記計算式を前記電卓に伝送し、前記電卓により前記計算式を処理するように構成されてもよい。
【００２９】
前記情報表示モジュールは、
前記情報入力インターフェースに、前記ユーザの入力した計算式を表示するとともに、前記電卓で前記計算式を処理した計算結果を前記計算式の後に表示するように構成される第４表示サブモジュール、又は、
前記情報入力インターフェースに、前記ユーザの入力した計算式を表示するとともに、入力情報オプション項目に前記電卓の識別子又は前記電卓で前記計算式を処理した計算結果を表示するように構成される第５表示サブモジュール
を含んでもよい。
【００３０】
本実施例において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００３１】
前記ユーザの入力したメッセージが数字であると認識した場合、前記アプリ呼出しモジュールは、前記端末におけるペイアプリを呼出して前記数字を前記ペイアプリに伝送し、前記ペイアプリにより前記数字を処理するように構成されてもよい。
【００３２】
前記情報表示モジュールは、前記情報入力インターフェースに、前記ユーザの入力した数字を表示するとともに、前記ペイアプリの識別子を表示するか、又はユーザに前記数字に関連する振込み操作を行うか否かをプロンプトするように構成されてもよい。
【００３３】
当該技術案において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００３４】
前記ユーザの入力したメッセージが前記通信情報、計算式又は数字以外の単語であると認識した場合、前記アプリ呼出しモジュールは、端末システムを呼出して前記単語を前記端末システムに伝送し、前記端末システムにより前記単語に基づき自機にインストールされたアプリを照会することにより前記単語に対してマッチングを行うように構成されてもよい。
【００３５】
前記情報表示モジュールは、前記情報入力インターフェースに、前記単語を表示するとともに、前記端末にインストールされて前記単語と関連付けられている応用プログラムの識別子を表示するように構成されてもよい。
【００３６】
当該技術案において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００３７】
前記ユーザの入力したメッセージが一つの完全な文章であると認識した場合、前記アプリ呼出しモジュールは、前記端末にインストールされた所定の応用プログラムを呼出して前記文章を前記所定の応用プログラムに伝送し、前記所定の応用プログラムにより前記文章を処理するように構成されてもよい。
【００３８】
前記情報表示モジュールは、前記情報入力インターフェースに、前記ユーザの入力したメッセージを表示するとともに、前記所定の応用プログラムの識別子を表示するか、又は前記所定の応用プログラムの前記文章に対する処理結果を表示するように構成される。
【００３９】
当該技術案において、ユーザが情報入力インターフェース（例えば、ショートメッセージの入力インターフェース）に一つの文章（例えば“私今××広場の噴水付近にいる”）を入力した場合、端末にインストールされた所定の応用プログラム（例えばマップ）を呼び出すことができ、当該マップにおいて“××広場の噴水”を検索して、検索された住所を情報入力インターフェースにリターンして、ユーザが選択使用するようにすることにより、ユーザが前記情報を編集するとともに、前記情報に関連する情報を迅速に分かるようにする。
【００４０】
本発明の実施例に係る第３様態によれば、
プロセッサと、
前記プロセッサにより実行可能なインストラクションを記憶するためのメモリと、
を備え、
前記プロセッサは、
ユーザが情報入力インターフェースを介して入力したメッセージを受信し、前記ユーザの入力したメッセージを認識し、
認識されたメッセージ内容に基づき前記メッセージ内容に対応する応用プログラムを呼出し、前記応用プログラムにより前記メッセージ内容を処理し、
前記応用プログラムにより前記メッセージ内容を処理して得た処理結果を受信し、
前記情報入力インターフェースに、前記ユーザの入力したメッセージを表示するとともに、前記処理結果を処理して表示するように構成される情報処理装置を提供する。
【００４１】
本発明の実施例により提供された技術案によれば、以下のような有益な効果が得られる。
【００４２】
当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００４３】
なお、上述の一般的な記載及び後述の詳細な記載は、単なる例示であり、本発明に対する限定として見なしてはいけない。
【図面の簡単な説明】
【００４４】
以下の図面は、明細書に組み込まれて本願明細書の一部分となり、本願発明に合致する実施例を示し、且つ明細書とともに、本発明の原理を説明するために用いられる。
【００４５】
【図１】図１は、例示的な一実施例に係る情報処理方法を示すフローチャートである。
【図２】図２は、別の例示的な実施例に係る情報処理方法を示すフローチャートである。
【図３】図３は、例示的な一実施例に係る情報処理装置を示すブロック図である。
【図４】図４は、別の例示的な実施例に係る情報処理装置を示すブロック図である。
【図５】図５は、例示的な一実施例に係る情報表示モジュールを示すブロック図である。
【図６】図６は、別の例示的な実施例に係る情報表示モジュールを示すブロック図である。
【図７】図７は、例示的な一実施例に係る情報処理装置を示すブロック図である。
【００４６】
以上の図面により、本発明に係る明確な実施例が示されているが、以下においてより具体的に説明するようにする。これらの図面と説明は、本発明の趣旨の範囲を何らかの方法により限定するために用いられるものではなく、特定の実施例を参照することにより、当業者に本発明のコンセプトを説明するためのものである。
【発明を実施するための形態】
【００４７】
以下、図面を参照して、例示的な実施例について詳細に説明する。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付の特許請求の範囲に記載される本発明の一部の態様を示す装置及び方法の例に過ぎない。
【００４８】
図１は、例示的な一実施例に係る情報処理方法を示すフローチャートである。本実施例は当該情報処理方法が例えば携帯電話、タブレットＰＣ又はスマートＴＶなどの端末に適用される場合を例として説明する。図１に示すように、当該情報処理方法は、以下のいくつかのステップを含んでもよい。
【００４９】
ステップ１０１において、ユーザが情報入力インターフェースを介して入力したメッセージを受信し、前記ユーザの入力したメッセージを認識する。
【００５０】
ステップ１０２において、認識されたメッセージ内容に基づき前記メッセージ内容に対応する応用プログラムを呼出し、前記応用プログラムにより前記メッセージ内容を処理する。
【００５１】
ステップ１０３において、前記応用プログラムにより前記メッセージ内容を処理して得た処理結果を受信する。
【００５２】
ステップ１０４において、前記情報入力インターフェースに、前記ユーザの入力したメッセージを表示するとともに、前記処理結果を処理して表示する。
【００５３】
当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００５４】
図２は別の例示的な実施例に係る情報処理方法を示すフローチャートである。当該実施例は当該情報処理方法が例えば携帯電話、タブレットＰＣ又はスマートＴＶなどの端末に適用される場合を例として説明する。図２に示すように、当該情報処理方法は、以下のいくつかのステップを含んでもよい。
【００５５】
ステップ２０１において、予備処理操作を行うことにより、メッセージ内容と応用プログラムの間の呼出し対応関係を決定し、前記対応関係を保存する。
【００５６】
メッセージ内容と応用プログラムの間の呼出し対応関係は、通信情報と住所録アプリの対応関係、算式と電卓アプリの対応関係、数字とペイアプリの対応関係、単語と端末システムの対応関係、文章と所定の応用プログラム（例えばマップ、イメージライブラリなど）の対応関係を含んでもよい。
【００５７】
その中、前記文章とは、少なくとも述語と目的語を含んで構成される文章を指し、前記単語とは、形態素で構成された、独立的運用が可能な一番小さな言語である。
【００５８】
ステップ２０２において、ユーザが情報入力インターフェースを介して入力したメッセージを受信し、ユーザの入力したメッセージを認識する。
【００５９】
ここで、ユーザの入力したメッセージの類型を認識する。例えばアプリに入力したメッセージが通信情報（人名、ニックネームなどを含み）なのか、数字なのか、計算公式なのか、一言又は一つの単語なのかを認識する。
【００６０】
ユーザが情報入力インターフェースを介して入力したメッセージを受信した後、当該入力されたメッセージを認識して、その認識された内容に基づき異なる応用プログラムを呼出して前記入力されたメッセージを処理して、情報入力インターフェースに該当処理結果を表示することにより、ユーザが当該処理結果に基づき後続する操作ができるようにする。
【００６１】
ステップ２０３において、認識されたメッセージ内容に基づき前記メッセージ内容に対応する応用プログラムを呼出し、前記応用プログラムにより前記メッセージ内容を処理する。
【００６２】
ここで、ユーザの入力したメッセージの類型により以下のいくつかの処理形態に分けることができる。
【００６３】
一番目の形態において、認識されたメッセージ内容に基づき前記メッセージ内容に対応する応用プログラムを呼出し、前記応用プログラムにより前記メッセージ内容を処理するステップは、
ユーザの入力したメッセージが通信情報であると認識した場合、端末における住所録を呼出して前記通信情報を前記住所録に伝送し、前記住所録に基づき前記通信情報に対してマッチングの照会を行うステップを含んでもよいが、ここで前記住所録は自機中の電話帳又はＩＭアプリにおける住所録を含む。
【００６４】
二番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが計算式であると認識した場合、前記端末における電卓を呼出し、前記計算式を前記電卓に伝送し、前記電卓により前記計算式を処理するステップを含んでもよい。
【００６５】
三番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが数字であると認識した場合、前記端末におけるペイアプリを呼出して前記数字を前記ペイアプリに伝送し、前記ペイアプリにより前記数字を処理するステップを含んでもよい。
【００６６】
四番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが前記通信情報、計算式又は数字以外の単語であると認識した場合、端末システムを呼出して前記単語を前記端末システムに伝送し、前記端末システムにより前記単語に基づき自機にインストールされたアプリを照会することにより前記単語に対してマッチングを行うステップを含んでもよい。
【００６７】
五番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが一つの完全な文章であると認識した場合、前記端末にインストールされた所定の応用プログラムを呼出して前記文章を前記所定の応用プログラムに伝送し、前記所定の応用プログラムにより前記文章を処理するステップを含んでもよい。
【００６８】
ステップ２０４において、前記応用プログラムにより前記メッセージ内容を処理して得た処理結果を受信する。
【００６９】
ステップ２０５において、前記情報入力インターフェースに、前記ユーザの入力したメッセージを表示するとともに、前記処理結果を処理して表示する。
【００７０】
ここで、前記ステップ２０３における５個の形態にそれぞれ対応して、ステップ２０５も以下の５個の処理形態を有することができる。
【００７１】
一番目の形態において、前記ユーザの入力したメッセージが通信情報であると認識した場合、前記情報入力インターフェースに、前記ユーザの入力したメッセージを表示するとともに、前記処理結果を処理して表示するステップは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するステップを含むか、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するステップを含むか、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記して、表記した後の前記通信情報を表示するステップを含んでもよい。
【００７２】
一番目の形態において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００７３】
二番目の形態において、前記ユーザの入力したメッセージが計算式であると認識した場合、前記情報入力インターフェースに、前記ユーザの入力したメッセージを表示するとともに、前記処理結果を処理して表示するステップは、
前記情報入力インターフェースに、前記ユーザの入力した計算式を表示するとともに、前記電卓で前記計算式を処理した計算結果を前記計算式の後に表示するステップを含むか、又は、
前記情報入力インターフェースに、前記ユーザの入力した計算式を表示するとともに、入力情報オプション項目に前記電卓の識別子又は前記電卓で前記計算式を処理した計算結果を表示するステップを含んでもよい。
【００７４】
二番目の形態において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００７５】
三番目の形態において、前記ユーザの入力したメッセージが数字であると認識した場合、前記情報入力インターフェースに、前記ユーザの入力したメッセージを表示するとともに、前記処理結果を処理して表示するステップは、
前記情報入力インターフェースに、前記ユーザの入力した数字を表示するとともに、前記ペイアプリの識別子を表示するか、又はユーザに前記数字に関連する振込み操作を行うか否かをプロンプトするステップを含む。
【００７６】
三番目の形態において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００７７】
四番目の形態において、前記ユーザの入力したメッセージが前記通信情報、計算式又は数字以外の単語であると認識した場合、前記情報入力インターフェースに、前記ユーザの入力したメッセージを表示するとともに、前記処理結果を処理して表示するステップは、
前記情報入力インターフェースに、前記単語を表示するとともに、前記端末にインストールされた、前記単語と関連付けられている応用プログラムの識別子を表示するステップを含む。
【００７８】
四番目の形態において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００７９】
五番目の形態において、前記ユーザの入力したメッセージが一つの完全な文章であると認識した場合、前記情報入力インターフェースに、前記ユーザの入力したメッセージを表示するとともに、前記処理結果を処理して表示するステップは、
前記情報入力インターフェースに、前記ユーザの入力したメッセージを表示するとともに、前記所定の応用プログラムの識別子を表示するか、又は前記所定の応用プログラムの前記文章に対する処理結果を表示するステップを含む。
【００８０】
五番目の形態において、ユーザが情報入力インターフェース（例えば、ショートメッセージの入力インターフェース）に一つの文章（例えば“私今××広場の噴水付近にいる”）を入力した場合、端末にインストールされた所定の応用プログラム（例えばマップ）を呼び出すことができ、当該マップにおいて“××広場の噴水”を検索して、検索された住所を情報入力インターフェースにリターンして、ユーザが選択使用するようにすることにより、ユーザが前記情報を編集するとともに、前記情報に関連する情報を迅速に分かるようにする。
【００８１】
要するに、当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００８２】
以下には本発明の装置実施例を示しており、本発明の方法実施例の実行に適用できる。本発明の装置実施例において記載されていない詳細な内容は、本発明の方法実施例を参照すればよい。
【００８３】
図３は、例示的な一実施例に係る情報処理装置３００を示すブロック図である。前記情報処理装置３００は、ソフトウェア、ハードウェア又は両者の組合せにより端末の一部分又は全部を構成することができ、前記端末は、携帯電話、タブレットＰＣ又はスマートＴＶである。前記情報処理装置３００は、
ユーザが情報入力インターフェースを介して入力したメッセージを受信し、前記ユーザの入力したメッセージを認識するように構成される情報認識モジュール３０１と、
認識されたメッセージ内容に基づき前記メッセージ内容に対応する応用プログラムを呼出し、前記応用プログラムにより前記メッセージ内容を処理するように構成されるアプリ呼出しモジュール３０２と、
前記応用プログラムにより前記メッセージ内容を処理して得た処理結果を受信するように構成される情報受信モジュール３０３と、
前記情報入力インターフェースに、前記ユーザの入力したメッセージを表示するとともに、前記処理結果を処理して表示するように構成される情報表示モジュール３０４を含むことができる。
【００８４】
要するに、当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００８５】
図４は、別の例示的な実施例に係る情報処理装置４００を示すブロック図である。前記情報処理装置４００は、ソフトウェア、ハードウェア又は両者の組合せにより端末の一部分又は全部を構成することができ、前記端末は、携帯電話、タブレットＰＣ又はスマートＴＶである。前記情報処理装置４００は、
メッセージ内容と応用プログラムの間の呼出し対応関係を決定し、前記対応関係を保存するように構成される情報保存モジュール４０１と、
ユーザが情報入力インターフェースを介して入力したメッセージを受信し、前記ユーザの入力したメッセージを認識するように構成される情報認識モジュール４０２と、
認識されたメッセージ内容に基づき前記メッセージ内容に対応する応用プログラムを呼出し、前記応用プログラムにより前記メッセージ内容を処理するように構成されるアプリ呼出しモジュール４０３と、
前記応用プログラムにより前記メッセージ内容を処理して得た処理結果を受信するように構成される情報受信モジュール４０４と、
前記情報入力インターフェースに、前記ユーザの入力したメッセージを表示するとともに、前記処理結果を処理して表示するように構成される情報表示モジュール４０５を含むことができる。
【００８６】
前記ユーザの入力したメッセージが通信情報であると認識した場合、アプリ呼出しモジュール４０３は、前記端末における住所録を呼出して前記通信情報を前記住所録に伝送し、前記住所録に基づき前記通信情報に対してマッチングの照会を行うように構成されてもよいが、ここで前記住所録は自機中の電話帳又はＩＭアプリにおける住所録を含む。
【００８７】
相応に、図５に示すように、前記ユーザの入力したメッセージが通信情報であると認識した場合、情報表示モジュール４０５は、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するように構成される第１表示サブモジュール４０５１、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するように構成される第２表示サブモジュール４０５２、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するように構成される第３表示サブモジュール４０５３を含む。
【００８８】
本実施例において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００８９】
前記ユーザの入力したメッセージが計算式であると認識した場合、アプリ呼出しモジュール４０３は前記端末における電卓を呼出して前記計算式を前記電卓に伝送し、前記電卓で前記計算式を処理するように構成されてもよい。
【００９０】
相応に、図６に示すように、前記ユーザの入力したメッセージが計算式であると認識した場合、情報表示モジュール４０５は、
前記情報入力インターフェースに、前記ユーザの入力した計算式を表示するとともに、前記電卓で前記計算式を処理した計算結果を前記計算式の後に表示するように構成される第４表示サブモジュール４０５４、又は、
前記情報入力インターフェースに、前記ユーザの入力した計算式を表示するとともに、入力情報オプション項目に前記電卓の識別子又は前記電卓で前記計算式を処理した計算結果を表示するように構成される第５表示サブモジュール４０５５を含む。
【００９１】
本実施例において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００９２】
前記ユーザの入力したメッセージが数字であると認識した場合、アプリ呼出しモジュール４０３は前記端末におけるペイアプリを呼出して前記数字を前記ペイアプリに伝送し、前記ペイアプリにより前記数字を処理するように構成されてもよい。
【００９３】
相応に、前記ユーザの入力したメッセージが数字であると認識した場合、情報表示モジュール４０５は、前記情報入力インターフェースに、前記ユーザの入力した数字を表示するとともに、前記ペイアプリの識別子を表示するか、又はユーザに前記数字に関連する振込み操作を行うか否かをプロンプトするように構成される。
【００９４】
当該技術案において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００９５】
前記ユーザの入力したメッセージが前記通信情報、計算式又は数字以外の単語であると認識した場合、アプリ呼出しモジュール４０３は、端末システムを呼出して前記単語を前記端末システムに伝送し、前記端末システムにより前記単語に基づき自機にインストールされたアプリを照会することにより前記単語に対してマッチングを行うように構成される。
【００９６】
相応に、前記ユーザの入力したメッセージが前記通信情報、計算式又は数字以外の単語であると認識した場合、情報表示モジュール４０５は前記情報入力インターフェースに、前記単語を表示するとともに、前記端末にインストールされた、前記単語と関連付けられている応用プログラムの識別子を表示するように構成される。
【００９７】
当該技術案において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００９８】
前記ユーザの入力したメッセージが一つの完全な文章であると認識した場合、アプリ呼出しモジュール４０３は、前記端末にインストールされた所定の応用プログラムを呼出して前記文章を前記所定の応用プログラムに伝送し、前記所定の応用プログラムにより前記文章を処理するように構成されてもよい。
【００９９】
相応に、前記ユーザの入力したメッセージが一つの完全な文章であると認識した場合、情報表示モジュール４０５は、前記情報入力インターフェースに、前記ユーザの入力したメッセージを表示するとともに、前記所定の応用プログラムの識別子を表示するか、又は前記所定の応用プログラムの前記文章に対する処理結果を表示するように構成される。
【０１００】
当該技術案において、ユーザが情報入力インターフェース（例えば、ショートメッセージの入力インターフェース）に一つの文章（例えば“私今××広場の噴水付近にいる”）を入力した場合、端末にインストールされた所定の応用プログラム（例えばマップ）を呼び出すことができ、当該マップにおいて“××広場の噴水”を検索して、検索された住所を情報入力インターフェースにリターンして、ユーザが選択使用するようにすることにより、ユーザが前記情報を編集するとともに、前記情報に関連する情報を迅速に分かるようにする。
【０１０１】
上述の実施例に係る装置において、それぞれのモジュールが操作を行う具体的な形態については、該当する方法実施例において既に詳細に説明を行っているので、ここではその詳細な説明を省略することにする。
【０１０２】
図７に示すように、装置５００は、処理アセンブリ５０２、メモリ５０４、電源アセンブリ５０６、マルチメディアアセンブリ５０８、オーディオアセンブリ５１０、入力／出力（Ｉ／Ｏ）インターフェース５１２、センサアセンブリ５１４及び通信アセンブリ５１６からなる群から選ばれる少なくとも１つを備えてもよい。
【０１０３】
処理アセンブリ５０２は、一般的には、装置５００の全体の操作、例えば、表示、電話呼出し、データ通信、カメラ操作及び記録操作に関連する操作を制御する。処理アセンブリ５０２は、上述の方法におけるステップの一部又は全部を実現できるように、インストラクションを実行する少なくとも１つのプロセッサ５２０を備えてもよい。なお、処理アセンブリ５０２は、他のアセンブリとのインタラクションの便宜上、少なくとも１つのモジュールを備えてもよい。例えば、処理アセンブリ５０２は、マルチメディアアセンブリ５０８とのインタラクションの便利を図るために、マルチメディアモジュールを備えてもよい。
【０１０４】
メモリ５０４は、装置５００における操作を支援するための、各種のデータを記憶するように構成される。これらのデータの例として、装置５００において操作される何れのアプリケーション又は方法に関するインストラクション、連絡先データ、電話帳データ、メッセージ、画像、ビデオ等を含む。メモリ５０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１０５】
電源アセンブリ５０６は、装置５００の各種アセンブリに電力を供給するためのものであり、電源管理システム、１つ又は複数の電源、及び装置５００のために電力を生成、管理及び分配することに関連のある他のアセンブリを備えてもよい。
【０１０６】
マルチメディアアセンブリ５０８は、装置５００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ５０８は、フロントカメラ及び／又はバックカメラを備えてもよい。装置５００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１０７】
オーディオアセンブリ５１０は、オーディオ信号を出力及び／又は入力するように構成される。例えば、オーディオアセンブリ５１０は、マイクロフォン（ＭＩＣ）を有してもよい。装置５００が、例えば呼出しモード、記録モード又は音声認識モードのような操作モードにある場合、マイクロフォンは外部のオーディオ信号を受信するように構成される。受信されたオーディオ信号は、メモリ５０４に記憶されてもよく、通信アセンブリ５１６を介して送信されてもよい。何れかの実施例において、オーディオアセンブリ５１０は、オーディオ信号を出力するためのスピーカをさらに備えてもよい。
【０１０８】
Ｉ／Ｏインターフェース５１２は、処理アセンブリ５０２と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１０９】
センサアセンブリ５１４は、装置５００のために各方面の状態評価を提供するための少なくとも１つのセンサを備えてもよい。例えば、センサアセンブリ５１４は、装置５００のオン／オフ状態や、アセンブリの相対的な位置を検出することができる。例えば、前記アセンブリが装置５００のディスプレイ及びキーパッドである場合、センサアセンブリ５１４は、装置５００又は装置５００の１つのアセンブリの位置の変化や、ユーザと装置５００との接触の有無や、装置５００の方位又は加速／減速や、装置５００の温度変化を検出することができる。センサアセンブリ５１４は、何れの物理的接触もない状況にて付近の物体の有無を検出できるように構成される近接センサを含んでもよい。センサアセンブリ５１４は、さらに、画像表示技術分野に用いられる光センサ、例えばＣＭＯＳ又はＣＣＤ画像センサを含んでもよい。何れかの実施例において、当該センサアセンブリ５１４は、さらに、加速度センサ、ジャイロスコープセンサ、磁気センサ、圧力センサ又は温度センサを含んでもよい。
【０１１０】
通信アセンブリ５１６は、装置５００と他の設備との間の無線又は有線通信が便利になるように構成される。装置５００は、通信標準に基づく無線ネットワーク、例えばＷｉＦｉ、２Ｇ又は３Ｇ、又はそれらの組み合わせにアクセスできる。１つの例示的な実施例において、通信アセンブリ５１６は、ブロードキャストチャンネルを介して外部のブロードキャスト管理システムからのブロードキャスト信号又はブロードキャストに関する情報を受信することができる。１つの例示的な実施例において、前記通信アセンブリ５１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【０１１１】
例示的な実施例において、装置５００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１１２】
例示的な実施例において、さらに、装置５００のプロセッサ５２０により実行されることにより上述の方法を実現可能なインストラクションが記憶され、且つコンピュータに読み取り可能な不揮発性の記録媒体、例えばインストラクションが記憶されているメモリ５０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１１３】
コンピュータに読み取り可能な不揮発性の記録媒体において、記録媒体におけるインストラクションが装置５００のプロセッサにより実行される場合、装置５００が前記の情報処理方法を実行できるようにする。
【０１１４】
なお、本発明は、上述の説明及び図面により示された特定の構成に限定されず、その範囲を離脱しない範囲で、様々な補正及び変更を実施可能であることを理解すべきである。本発明の範囲は、添付される特許請求の範囲のみにより限定される。
【０１１５】
本発明は、出願番号がＣＮ２０１５１０８６２７３７．９であり、出願日が２０１５年１２月１日である中国特許出願に基づき優先権を主張して、当該中国特許出願のすべての内容を本願に援用する。
【図１】
2018504865.tif 000003
【図２】
2018504865.tif 000004
【図３】
2018504865.tif 000005
【図４】
2018504865.tif 000006
【図５】
2018504865.tif 000007
【図６】
2018504865.tif 000008
【図７】
2018504865.tif 000009
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
端末に適用され、
ユーザが情報入力インターフェースを介して入力したメッセージを受信し、前記ユーザの入力したメッセージを認識するステップと、
認識されたメッセージ内容に基づき前記メッセージ内容に対応する応用プログラムを呼出し、前記応用プログラムにより前記メッセージ内容を処理するステップと、
前記応用プログラムにより前記メッセージ内容を処理して得た処理結果を受信するステップと、
前記情報入力インターフェースに、前記ユーザの入力したメッセージを表示するとともに、前記処理結果を処理して表示するステップと、
を含むことを特徴とする情報処理方法。
【請求項２】
メッセージ内容と応用プログラムの間の呼出し対応関係を決定し、前記対応関係を保存するステップをさらに含むことを特徴とする請求項１に記載の情報処理方法。
【請求項３】
前記認識されたメッセージ内容に基づき前記メッセージ内容に対応する応用プログラムを呼出し、前記応用プログラムにより前記メッセージ内容を処理するステップは、
前記ユーザの入力したメッセージが通信情報であると認識した場合、前記端末における住所録を呼出して前記通信情報を前記住所録に伝送し、前記住所録に基づき前記通信情報に対してマッチングの照会を行うステップを含み、
前記住所録は自機中の電話帳又はＩＭアプリにおける住所録を含む
ことを特徴とする請求項１又は２に記載の情報処理方法。
【請求項４】
前記情報入力インターフェースに、前記ユーザの入力したメッセージを表示するとともに、前記処理結果を処理して表示するステップは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するステップ
を含むことを特徴とする請求項３に記載の情報処理方法。
【請求項５】
前記認識されたメッセージ内容に基づき前記メッセージ内容に対応する応用プログラムを呼出し、前記応用プログラムにより前記メッセージ内容を処理するステップは、
前記ユーザの入力したメッセージが計算式であると認識した場合、前記端末における電卓を呼出して前記計算式を前記電卓に伝送し、前記電卓により前記計算式を処理するステップ
を含むことを特徴とする請求項１又は２に記載の情報処理方法。
【請求項６】
前記情報入力インターフェースに、前記ユーザの入力したメッセージを表示するとともに、前記処理結果を処理して表示するステップは、
前記情報入力インターフェースに、前記ユーザの入力した計算式を表示するとともに、前記電卓で前記計算式を処理した計算結果を前記計算式の後に表示するステップ、又は、
前記情報入力インターフェースに、前記ユーザの入力した計算式を表示するとともに、入力情報オプション項目に前記電卓の識別子又は前記電卓で前記計算式を処理した計算結果を表示するステップ
を含むことを特徴とする請求項５に記載の情報処理方法。
【請求項７】
前記認識されたメッセージ内容に基づき前記メッセージ内容に対応する応用プログラムを呼出し、前記応用プログラムにより前記メッセージ内容を処理するステップは、
前記ユーザの入力したメッセージが数字であると認識した場合、前記端末におけるペイアプリを呼出して前記数字を前記ペイアプリに伝送し、前記ペイアプリにより前記数字を処理するステップを含むことを特徴とする請求項１又は２に記載の情報処理方法。
【請求項８】
前記情報入力インターフェースに、前記ユーザの入力したメッセージを表示するとともに、前記処理結果を処理して表示するステップは、
前記情報入力インターフェースに、前記ユーザの入力した数字を表示するとともに、前記ペイアプリの識別子を表示するか、又はユーザに前記数字に関連する振込み操作を行うか否かをプロンプトするステップを含むことを特徴とする請求項７に記載の情報処理方法。
【請求項９】
前記認識されたメッセージ内容に基づき前記メッセージ内容に対応する応用プログラムを呼出し、前記応用プログラムにより前記メッセージ内容を処理するステップは、
前記ユーザの入力したメッセージが通信情報、計算式又は数字以外の単語であると認識した場合、端末システムを呼出して前記単語を前記端末システムに伝送し、前記端末システムにより前記単語に基づき自機にインストールされたアプリを照会することにより前記単語に対してマッチングを行うステップを含むことを特徴とする請求項１又は２に記載の情報処理方法。
【請求項１０】
前記情報入力インターフェースに、前記ユーザの入力したメッセージを表示するとともに、前記処理結果を処理して表示するステップは、
前記情報入力インターフェースに、前記単語を表示するとともに、前記端末にインストールされて前記単語と関連付けられている応用プログラムの識別子を表示するステップを含むことを特徴とする請求項９に記載の情報処理方法。
【請求項１１】
前記認識されたメッセージ内容に基づき前記メッセージ内容に対応する応用プログラムを呼出し、前記応用プログラムにより前記メッセージ内容を処理するステップは、
前記ユーザの入力したメッセージが一つの完全な文章であると認識した場合、前記端末にインストールされた所定の応用プログラムを呼出して前記文章を前記所定の応用プログラムに伝送し、前記所定の応用プログラムにより前記文章を処理するステップを含むことを特徴とする請求項１又は２に記載の情報処理方法。
【請求項１２】
前記情報入力インターフェースに、前記ユーザの入力したメッセージを表示するとともに、前記処理結果を処理して表示するステップは、
前記情報入力インターフェースに、前記ユーザの入力したメッセージを表示するとともに、前記所定の応用プログラムの識別子を表示するか、又は前記所定の応用プログラムの前記文章に対する処理結果を表示するステップを含むことを特徴とする請求項１１に記載の情報処理方法。
【請求項１３】
端末に適用され、
ユーザが情報入力インターフェースを介して入力したメッセージを受信し、前記ユーザの入力したメッセージを認識するように構成される情報認識モジュールと、
認識されたメッセージ内容に基づき前記メッセージ内容に対応する応用プログラムを呼出し、前記応用プログラムにより前記メッセージ内容を処理するように構成されるアプリ呼出しモジュールと、
前記応用プログラムにより前記メッセージ内容を処理して得た処理結果を受信するように構成される情報受信モジュールと、
前記情報入力インターフェースに、前記ユーザの入力したメッセージを表示するとともに、前記処理結果を処理して表示するように構成される情報表示モジュールと、
を含むことを特徴とする情報処理装置。
【請求項１４】
メッセージ内容と応用プログラムの間の呼出し対応関係を決定し、前記対応関係を保存するように構成される情報保存モジュールをさらに含むことを特徴とする請求項１３に記載の情報処理装置。
【請求項１５】
前記ユーザの入力したメッセージが通信情報であると認識した場合、前記アプリ呼出しモジュールは、前記端末における住所録を呼出して前記通信情報を前記住所録に伝送し、前記住所録に基づき前記通信情報に対してマッチングの照会を行うように構成され、
前記住所録は自機中の電話帳又はＩＭアプリにおける住所録を含む
ことを特徴とする請求項１３又は１４に記載の情報処理装置。
【請求項１６】
前記情報表示モジュールは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するように構成される第１表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するように構成される第２表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するように構成される第３表示サブモジュール
を含むことを特徴とする請求項１５に記載の情報処理装置。
【請求項１７】
前記ユーザの入力したメッセージが計算式であると認識した場合、前記アプリ呼出しモジュールは、前記端末における電卓を呼出して前記計算式を前記電卓に伝送し、前記電卓により前記計算式を処理するように構成されることを特徴とする請求項１３又は１４に記載の情報処理装置。
【請求項１８】
前記情報表示モジュールは、
前記情報入力インターフェースに、前記ユーザの入力した計算式を表示するとともに、前記電卓で前記計算式を処理した計算結果を前記計算式の後に表示するように構成される第４表示サブモジュール、又は、
前記情報入力インターフェースに、前記ユーザの入力した計算式を表示するとともに、入力情報オプション項目に前記電卓の識別子又は前記電卓で前記計算式を処理した計算結果を表示するように構成される第５表示サブモジュール
を含むことを特徴とする請求項１７に記載の情報処理装置。
【請求項１９】
前記ユーザの入力したメッセージが数字であると認識した場合、前記アプリ呼出しモジュールは、前記端末におけるペイアプリを呼出して前記数字を前記ペイアプリに伝送し、前記ペイアプリにより前記数字を処理するように構成されることを特徴とする請求項１３又は１４に記載の情報処理装置。
【請求項２０】
前記情報表示モジュールは、
前記情報入力インターフェースに、前記ユーザの入力した数字を表示するとともに、前記ペイアプリの識別子を表示するか、又はユーザに前記数字に関連する振込み操作を行うか否かをプロンプトするように構成されることを特徴とする請求項１９に記載の情報処理装置。
【請求項２１】
前記ユーザの入力したメッセージが通信情報、計算式又は数字以外の単語であると認識した場合、前記アプリ呼出しモジュールは、端末システムを呼出して前記単語を前記端末システムに伝送し、前記端末システムにより前記単語に基づき自機にインストールされたアプリを照会することにより前記単語に対してマッチングを行うように構成されることを特徴とする請求項１３又は１４に記載の情報処理装置。
【請求項２２】
前記情報表示モジュールは、
前記情報入力インターフェースに、前記単語を表示するとともに、前記端末にインストールされて前記単語と関連付けられている応用プログラムの識別子を表示するように構成されることを特徴とする請求項２１に記載の情報処理装置。
【請求項２３】
前記ユーザの入力したメッセージが一つの完全な文章であると認識した場合、前記アプリ呼出しモジュールは、前記端末にインストールされた所定の応用プログラムを呼出して前記文章を前記所定の応用プログラムに伝送し、前記所定の応用プログラムにより前記文章を処理するように構成されることを特徴とする請求項１３又は１４に記載の情報処理装置。
【請求項２４】
前記情報表示モジュールは、
前記情報入力インターフェースに、前記ユーザの入力したメッセージを表示するとともに、前記所定の応用プログラムの識別子を表示するか、又は前記所定の応用プログラムの前記文章に対する処理結果を表示するように構成されることを特徴とする請求項２３に記載の情報処理装置。
【請求項２５】
プロセッサと、
前記プロセッサにより実行可能なインストラクションを記憶するためのメモリと、
を備え、
前記プロセッサは、
ユーザが情報入力インターフェースを介して入力したメッセージを受信し、前記ユーザの入力したメッセージを認識し、
認識されたメッセージ内容に基づき前記メッセージ内容に対応する応用プログラムを呼出し、前記応用プログラムにより前記メッセージ内容を処理し、
前記応用プログラムにより前記メッセージ内容を処理して得た処理結果を受信し、
前記情報入力インターフェースに、前記ユーザの入力したメッセージを表示するとともに、前記処理結果を処理して表示する
ように構成されることを特徴とする情報処理装置。
【請求項２６】
プロセッサに実行されることにより、請求項１乃至請求項１２のいずれか１項に記載の情報処理方法を実現することを特徴とするプログラム。
【請求項２７】
請求項２６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、コンピュータ技術分野に関し、特に情報処理方法及び装置、プログラム及び記録媒体に関する。
【背景技術】
【０００２】
端末技術の発展に伴って、ユーザは端末にインストールされたさまざまな応用プログラムを利用して、例えば、ショートメッセージの発送、計算、費用の納付、振込みなどのさまざまな操作ができるようになっており、これはユーザの生活に大きな利便性をもたらしている。現在、アプリの間に連関性がほとんどないため、ユーザは機能の異なるアプリを使って異なる機能を実現しなければならならず、複数の応用プログラムの間の転換を行わなければならない。
【発明の概要】
【０００３】
本発明の実施例は情報処理方法及び装置、プログラム及び記録媒体を提供し、その技術案は下記の通りである。
【０００４】
本発明の実施例に係る第１様態によれば、
端末に適用され、
ユーザが情報入力インターフェースを介して入力したメッセージを受信し、前記ユーザの入力したメッセージを認識するステップと、
認識されたメッセージ内容に基づき前記メッセージ内容に対応する応用プログラムを呼出し、前記応用プログラムにより前記メッセージ内容を処理するステップと、
前記応用プログラムにより前記メッセージ内容を処理して得た処理結果を受信するステップと、
前記情報入力インターフェースに、前記ユーザの入力したメッセージを表示するとともに、前記処理結果を処理して表示するステップと、
を含む情報処理方法を提供する。
【０００５】
当該技術案によれば、情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【０００６】
前記方法は、
メッセージ内容と応用プログラムの間の呼出し対応関係を決定し、前記対応関係を保存するステップをさらに含んでもよい。
【０００７】
前記認識されたメッセージ内容に基づき前記メッセージ内容に対応する応用プログラムを呼出し、前記応用プログラムにより前記メッセージ内容を処理するステップは、
前記ユーザの入力したメッセージが通信情報であると認識した場合、前記端末における住所録を呼出して前記通信情報を前記住所録に伝送し、前記住所録に基づき前記通信情報に対してマッチングの照会を行うステップを含み、前記住所録は自機中の電話帳又はＩＭアプリにおける住所録を含んでもよい。
【０００８】
前記情報入力インターフェースに、前記ユーザの入力したメッセージを表示するとともに、前記処理結果を処理して表示するステップは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するステップ、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するステップ
を含んでもよい。
【０００９】
本実施例において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００１０】
前記認識されたメッセージ内容に基づき前記メッセージ内容に対応する応用プログラムを呼出し、前記応用プログラムにより前記メッセージ内容を処理するステップは、
前記ユーザの入力したメッセージが計算式であると認識した場合、前記端末における電卓を呼出して前記計算式を前記電卓に伝送し、前記電卓により前記計算式を処理するステップ
を含んでもよい。
【００１１】
前記情報入力インターフェースに、前記ユーザの入力したメッセージを表示するとともに、前記処理結果を処理して表示するステップは、
前記情報入力インターフェースに、前記ユーザの入力した計算式を表示するとともに、前記電卓で前記計算式を処理した計算結果を前記計算式の後に表示するステップ、又は、
前記情報入力インターフェースに、前記ユーザの入力した計算式を表示するとともに、入力情報オプション項目に前記電卓の識別子又は前記電卓で前記計算式を処理した計算結果を表示するステップ
を含んでもよい。
【００１２】
本実施例において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００１３】
前記認識されたメッセージ内容に基づき前記メッセージ内容に対応する応用プログラムを呼出し、前記応用プログラムにより前記メッセージ内容を処理するステップは、
前記ユーザの入力したメッセージが数字であると認識した場合、前記端末におけるペイアプリを呼出して前記数字を前記ペイアプリに伝送し、前記ペイアプリにより前記数字を処理するステップを含んでもよい。
【００１４】
前記情報入力インターフェースに、前記ユーザの入力したメッセージを表示するとともに、前記処理結果を処理して表示するステップは、
前記情報入力インターフェースに、前記ユーザの入力した数字を表示するとともに、前記ペイアプリの識別子を表示するか、又はユーザに前記数字に関連する振込み操作を行うか否かをプロンプトするステップを含んでもよい。
【００１５】
本実施例において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００１６】
前記認識されたメッセージ内容に基づき前記メッセージ内容に対応する応用プログラムを呼出し、前記応用プログラムにより前記メッセージ内容を処理するステップは、
前記ユーザの入力したメッセージが前記通信情報、計算式又は数字以外の単語であると認識した場合、端末システムを呼出して前記単語を前記端末システムに伝送し、前記端末システムにより前記単語に基づき自機にインストールされたアプリを照会することにより前記単語に対してマッチングを行うステップを含んでもよい。
【００１７】
前記情報入力インターフェースに、前記ユーザの入力したメッセージを表示するとともに、前記処理結果を処理して表示するステップは、
前記情報入力インターフェースに、前記単語を表示するとともに、前記端末にインストールされて前記単語と関連付けられている応用プログラムの識別子を表示するステップを含んでもよい。
【００１８】
当該技術案において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００１９】
前記認識されたメッセージ内容に基づき前記メッセージ内容に対応する応用プログラムを呼出し、前記応用プログラムにより前記メッセージ内容を処理するステップは、
前記ユーザの入力したメッセージが一つの完全な文章であると認識した場合、前記端末にインストールされた所定の応用プログラムを呼出して前記文章を前記所定の応用プログラムに伝送し、前記所定の応用プログラムにより前記文章を処理するステップを含んでもよい。
【００２０】
前記情報入力インターフェースに、前記ユーザの入力したメッセージを表示するとともに、前記処理結果を処理して表示するステップは、
前記情報入力インターフェースに、前記ユーザの入力したメッセージを表示するとともに、前記所定の応用プログラムの識別子を表示するか、又は前記所定の応用プログラムの前記文章に対する処理結果を表示するステップを含んでもよい。
【００２１】
当該技術案において、ユーザが情報入力インターフェース（例えば、ショートメッセージの入力インターフェース）に一つの文章（例えば"私今××広場の噴水付近にいる"）を入力した場合、端末にインストールされた所定の応用プログラム（例えばマップ）を呼び出すことができ、当該マップにおいて"××広場の噴水"を検索して、検索された住所を情報入力インターフェースにリターンして、ユーザが選択使用するようにすることにより、ユーザが前記情報を編集するとともに、前記情報に関連する情報を迅速に分かるようにする。
【００２２】
本発明の実施例に係る第２様態によれば、
端末に適用され、
ユーザが情報入力インターフェースを介して入力したメッセージを受信し、前記ユーザの入力したメッセージを認識するように構成される情報認識モジュールと、
認識されたメッセージ内容に基づき前記メッセージ内容に対応する応用プログラムを呼出し、前記応用プログラムにより前記メッセージ内容を処理するように構成されるアプリ呼出しモジュールと、
前記応用プログラムにより前記メッセージ内容を処理して得た処理結果を受信するように構成される情報受信モジュールと、
前記情報入力インターフェースに、前記ユーザの入力したメッセージを表示するとともに、前記処理結果を処理して表示するように構成される情報表示モジュールと、
を含む情報処理装置を提供する。
【００２３】
当該技術案によれば、情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００２４】
前記装置は、メッセージ内容と応用プログラムの間の呼出し対応関係を決定し、前記対応関係を保存するように構成される情報保存モジュールをさらに含んでもよい。
【００２５】
前記ユーザの入力したメッセージが通信情報であると認識した場合、前記アプリ呼出しモジュールは、前記端末における住所録を呼出して前記通信情報を前記住所録に伝送し、前記住所録に基づき前記通信情報に対してマッチングの照会を行うように構成されて、その中前記住所録は自機中の電話帳又はＩＭアプリにおける住所録を含んでもよい。
【００２６】
前記情報表示モジュールは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するように構成される第１表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するように構成される第２表示サブモジュール、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するように構成される第３表示サブモジュール
を含んでもよい。
【００２７】
本実施例において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００２８】
前記ユーザの入力したメッセージが計算式であると認識した場合、前記アプリ呼出しモジュールは、前記端末における電卓を呼出して前記計算式を前記電卓に伝送し、前記電卓により前記計算式を処理するように構成されてもよい。
【００２９】
前記情報表示モジュールは、
前記情報入力インターフェースに、前記ユーザの入力した計算式を表示するとともに、前記電卓で前記計算式を処理した計算結果を前記計算式の後に表示するように構成される第４表示サブモジュール、又は、
前記情報入力インターフェースに、前記ユーザの入力した計算式を表示するとともに、入力情報オプション項目に前記電卓の識別子又は前記電卓で前記計算式を処理した計算結果を表示するように構成される第５表示サブモジュール
を含んでもよい。
【００３０】
本実施例において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００３１】
前記ユーザの入力したメッセージが数字であると認識した場合、前記アプリ呼出しモジュールは、前記端末におけるペイアプリを呼出して前記数字を前記ペイアプリに伝送し、前記ペイアプリにより前記数字を処理するように構成されてもよい。
【００３２】
前記情報表示モジュールは、前記情報入力インターフェースに、前記ユーザの入力した数字を表示するとともに、前記ペイアプリの識別子を表示するか、又はユーザに前記数字に関連する振込み操作を行うか否かをプロンプトするように構成されてもよい。
【００３３】
当該技術案において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００３４】
前記ユーザの入力したメッセージが前記通信情報、計算式又は数字以外の単語であると認識した場合、前記アプリ呼出しモジュールは、端末システムを呼出して前記単語を前記端末システムに伝送し、前記端末システムにより前記単語に基づき自機にインストールされたアプリを照会することにより前記単語に対してマッチングを行うように構成されてもよい。
【００３５】
前記情報表示モジュールは、前記情報入力インターフェースに、前記単語を表示するとともに、前記端末にインストールされて前記単語と関連付けられている応用プログラムの識別子を表示するように構成されてもよい。
【００３６】
当該技術案において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００３７】
前記ユーザの入力したメッセージが一つの完全な文章であると認識した場合、前記アプリ呼出しモジュールは、前記端末にインストールされた所定の応用プログラムを呼出して前記文章を前記所定の応用プログラムに伝送し、前記所定の応用プログラムにより前記文章を処理するように構成されてもよい。
【００３８】
前記情報表示モジュールは、前記情報入力インターフェースに、前記ユーザの入力したメッセージを表示するとともに、前記所定の応用プログラムの識別子を表示するか、又は前記所定の応用プログラムの前記文章に対する処理結果を表示するように構成される。
【００３９】
当該技術案において、ユーザが情報入力インターフェース（例えば、ショートメッセージの入力インターフェース）に一つの文章（例えば"私今××広場の噴水付近にいる"）を入力した場合、端末にインストールされた所定の応用プログラム（例えばマップ）を呼び出すことができ、当該マップにおいて"××広場の噴水"を検索して、検索された住所を情報入力インターフェースにリターンして、ユーザが選択使用するようにすることにより、ユーザが前記情報を編集するとともに、前記情報に関連する情報を迅速に分かるようにする。
【００４０】
本発明の実施例に係る第３様態によれば、
プロセッサと、
前記プロセッサにより実行可能なインストラクションを記憶するためのメモリと、
を備え、
前記プロセッサは、
ユーザが情報入力インターフェースを介して入力したメッセージを受信し、前記ユーザの入力したメッセージを認識し、
認識されたメッセージ内容に基づき前記メッセージ内容に対応する応用プログラムを呼出し、前記応用プログラムにより前記メッセージ内容を処理し、
前記応用プログラムにより前記メッセージ内容を処理して得た処理結果を受信し、
前記情報入力インターフェースに、前記ユーザの入力したメッセージを表示するとともに、前記処理結果を処理して表示するように構成される情報処理装置を提供する。
本発明の実施例に係る第４態様によれば、
プロセッサに実行されることにより、第1態様に係る前記情報処理方法を実現するプログラムを提供する。
本発明の実施例に係る第５態様によれば、
第４態様による前記プログラムが記録されている記録媒体を提供する。
【００４１】
本発明の実施例により提供された技術案によれば、以下のような有益な効果が得られる。
【００４２】
当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００４３】
なお、上述の一般的な記載及び後述の詳細な記載は、単なる例示であり、本発明に対する限定として見なしてはいけない。
【図面の簡単な説明】
【００４４】
以下の図面は、明細書に組み込まれて本願明細書の一部分となり、本願発明に合致する実施例を示し、且つ明細書とともに、本発明の原理を説明するために用いられる。
【００４５】
【図１】図１は、例示的な一実施例に係る情報処理方法を示すフローチャートである。
【図２】図２は、別の例示的な実施例に係る情報処理方法を示すフローチャートである。
【図３】図３は、例示的な一実施例に係る情報処理装置を示すブロック図である。
【図４】図４は、別の例示的な実施例に係る情報処理装置を示すブロック図である。
【図５】図５は、例示的な一実施例に係る情報表示モジュールを示すブロック図である。
【図６】図６は、別の例示的な実施例に係る情報表示モジュールを示すブロック図である。
【図７】図７は、例示的な一実施例に係る情報処理装置を示すブロック図である。
【００４６】
以上の図面により、本発明に係る明確な実施例が示されているが、以下においてより具体的に説明するようにする。これらの図面と説明は、本発明の趣旨の範囲を何らかの方法により限定するために用いられるものではなく、特定の実施例を参照することにより、当業者に本発明のコンセプトを説明するためのものである。
【発明を実施するための形態】
【００４７】
以下、図面を参照して、例示的な実施例について詳細に説明する。以下の図面に関する説明において、別途の説明がない限り、異なる図面中の同一の符号は、同一又は類似する要素を示すこととする。以下の例示的実施例において説明する複数の実施形態は、本発明に係る全ての実施形態を代表するわけではない。逆に、それらは、添付の特許請求の範囲に記載される本発明の一部の態様を示す装置及び方法の例に過ぎない。
【００４８】
図１は、例示的な一実施例に係る情報処理方法を示すフローチャートである。本実施例は当該情報処理方法が例えば携帯電話、タブレットＰＣ又はスマートＴＶなどの端末に適用される場合を例として説明する。図１に示すように、当該情報処理方法は、以下のいくつかのステップを含んでもよい。
【００４９】
ステップ１０１において、ユーザが情報入力インターフェースを介して入力したメッセージを受信し、前記ユーザの入力したメッセージを認識する。
【００５０】
ステップ１０２において、認識されたメッセージ内容に基づき前記メッセージ内容に対応する応用プログラムを呼出し、前記応用プログラムにより前記メッセージ内容を処理する。
【００５１】
ステップ１０３において、前記応用プログラムにより前記メッセージ内容を処理して得た処理結果を受信する。
【００５２】
ステップ１０４において、前記情報入力インターフェースに、前記ユーザの入力したメッセージを表示するとともに、前記処理結果を処理して表示する。
【００５３】
当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００５４】
図２は別の例示的な実施例に係る情報処理方法を示すフローチャートである。当該実施例は当該情報処理方法が例えば携帯電話、タブレットＰＣ又はスマートＴＶなどの端末に適用される場合を例として説明する。図２に示すように、当該情報処理方法は、以下のいくつかのステップを含んでもよい。
【００５５】
ステップ２０１において、予備処理操作を行うことにより、メッセージ内容と応用プログラムの間の呼出し対応関係を決定し、前記対応関係を保存する。
【００５６】
メッセージ内容と応用プログラムの間の呼出し対応関係は、通信情報と住所録アプリの対応関係、算式と電卓アプリの対応関係、数字とペイアプリの対応関係、単語と端末システムの対応関係、文章と所定の応用プログラム（例えばマップ、イメージライブラリなど）の対応関係を含んでもよい。
【００５７】
その中、前記文章とは、少なくとも述語と目的語を含んで構成される文章を指し、前記単語とは、形態素で構成された、独立的運用が可能な一番小さな言語である。
【００５８】
ステップ２０２において、ユーザが情報入力インターフェースを介して入力したメッセージを受信し、ユーザの入力したメッセージを認識する。
【００５９】
ここで、ユーザの入力したメッセージの類型を認識する。例えばアプリに入力したメッセージが通信情報（人名、ニックネームなどを含み）なのか、数字なのか、計算公式なのか、一言又は一つの単語なのかを認識する。
【００６０】
ユーザが情報入力インターフェースを介して入力したメッセージを受信した後、当該入力されたメッセージを認識して、その認識された内容に基づき異なる応用プログラムを呼出して前記入力されたメッセージを処理して、情報入力インターフェースに該当処理結果を表示することにより、ユーザが当該処理結果に基づき後続する操作ができるようにする。
【００６１】
ステップ２０３において、認識されたメッセージ内容に基づき前記メッセージ内容に対応する応用プログラムを呼出し、前記応用プログラムにより前記メッセージ内容を処理する。
【００６２】
ここで、ユーザの入力したメッセージの類型により以下のいくつかの処理形態に分けることができる。
【００６３】
一番目の形態において、認識されたメッセージ内容に基づき前記メッセージ内容に対応する応用プログラムを呼出し、前記応用プログラムにより前記メッセージ内容を処理するステップは、
ユーザの入力したメッセージが通信情報であると認識した場合、端末における住所録を呼出して前記通信情報を前記住所録に伝送し、前記住所録に基づき前記通信情報に対してマッチングの照会を行うステップを含んでもよいが、ここで前記住所録は自機中の電話帳又はＩＭアプリにおける住所録を含む。
【００６４】
二番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが計算式であると認識した場合、前記端末における電卓を呼出し、前記計算式を前記電卓に伝送し、前記電卓により前記計算式を処理するステップを含んでもよい。
【００６５】
三番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが数字であると認識した場合、前記端末におけるペイアプリを呼出して前記数字を前記ペイアプリに伝送し、前記ペイアプリにより前記数字を処理するステップを含んでもよい。
【００６６】
四番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが前記通信情報、計算式又は数字以外の単語であると認識した場合、前記端末システムを呼出して前記単語を前記端末システムに伝送し、前記端末システムにより前記単語に基づき自機にインストールされたアプリを照会することにより前記単語に対してマッチングを行うステップを含んでもよい。
【００６７】
五番目の形態において、認識されたメッセージ内容に基づき前記メッセージ内容に対応する応用プログラムを呼出し、前記応用プログラムにより前記メッセージ内容を処理するステップは、
前記ユーザの入力したメッセージが一つの完全な文章であると認識した場合、前記端末にインストールされた所定の応用プログラムを呼出して前記文章を前記所定の応用プログラムに伝送し、前記所定の応用プログラムにより前記文章を処理するステップを含んでもよい。
【００６８】
ステップ２０４において、前記応用プログラムにより前記メッセージ内容を処理して得た処理結果を受信する。
【００６９】
ステップ２０５において、前記情報入力インターフェースに、前記ユーザの入力したメッセージを表示するとともに、前記処理結果を処理して表示する。
【００７０】
ここで、前記ステップ２０３における５個の形態にそれぞれ対応して、ステップ２０５も以下の５個の処理形態を有することができる。
【００７１】
一番目の形態において、前記ユーザの入力したメッセージが通信情報であると認識した場合、前記情報入力インターフェースに、前記ユーザの入力したメッセージを表示するとともに、前記処理結果を処理して表示するステップは、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するステップを含むか、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するステップを含むか、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記して、表記した後の前記通信情報を表示するステップを含んでもよい。
【００７２】
一番目の形態において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００７３】
二番目の形態において、前記ユーザの入力したメッセージが計算式であると認識した場合、前記情報入力インターフェースに、前記ユーザの入力したメッセージを表示するとともに、前記処理結果を処理して表示するステップは、
前記情報入力インターフェースに、前記ユーザの入力した計算式を表示するとともに、前記電卓で前記計算式を処理した計算結果を前記計算式の後に表示するステップを含むか、又は、
前記情報入力インターフェースに、前記ユーザの入力した計算式を表示するとともに、入力情報オプション項目に前記電卓の識別子又は前記電卓で前記計算式を処理した計算結果を表示するステップを含んでもよい。
【００７４】
二番目の形態において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００７５】
三番目の形態において、前記ユーザの入力したメッセージが数字であると認識した場合、前記情報入力インターフェースに、前記ユーザの入力したメッセージを表示するとともに、前記処理結果を処理して表示するステップは、
前記情報入力インターフェースに、前記ユーザの入力した数字を表示するとともに、前記ペイアプリの識別子を表示するか、又はユーザに前記数字に関連する振込み操作を行うか否かをプロンプトするステップを含む。
【００７６】
三番目の形態において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００７７】
四番目の形態において、前記ユーザの入力したメッセージが前記通信情報、計算式又は数字以外の単語であると認識した場合、前記情報入力インターフェースに、前記ユーザの入力したメッセージを表示するとともに、前記処理結果を処理して表示するステップは、
前記情報入力インターフェースに、前記単語を表示するとともに、前記端末にインストールされた、前記単語と関連付けられている応用プログラムの識別子を表示するステップを含む。
【００７８】
四番目の形態において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００７９】
五番目の形態において、前記ユーザの入力したメッセージが一つの完全な文章であると認識した場合、前記情報入力インターフェースに、前記ユーザの入力したメッセージを表示するとともに、前記処理結果を処理して表示するステップは、
前記情報入力インターフェースに、前記ユーザの入力したメッセージを表示するとともに、前記所定の応用プログラムの識別子を表示するか、又は前記所定の応用プログラムの前記文章に対する処理結果を表示するステップを含む。
【００８０】
五番目の形態において、ユーザが情報入力インターフェース（例えば、ショートメッセージの入力インターフェース）に一つの文章（例えば"私今××広場の噴水付近にいる"）を入力した場合、端末にインストールされた所定の応用プログラム（例えばマップ）を呼び出すことができ、当該マップにおいて"××広場の噴水"を検索して、検索された住所を情報入力インターフェースにリターンして、ユーザが選択使用するようにすることにより、ユーザが前記情報を編集するとともに、前記情報に関連する情報を迅速に分かるようにする。
【００８１】
要するに、当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００８２】
以下には本発明の装置実施例を示しており、本発明の方法実施例の実行に適用できる。本発明の装置実施例において記載されていない詳細な内容は、本発明の方法実施例を参照すればよい。
【００８３】
図３は、例示的な一実施例に係る情報処理装置３００を示すブロック図である。前記情報処理装置３００は、ソフトウェア、ハードウェア又は両者の組合せにより端末の一部分又は全部を構成することができ、前記端末は、携帯電話、タブレットＰＣ又はスマートＴＶである。前記情報処理装置３００は、
ユーザが情報入力インターフェースを介して入力したメッセージを受信し、前記ユーザの入力したメッセージを認識するように構成される情報認識モジュール３０１と、
認識されたメッセージ内容に基づき前記メッセージ内容に対応する応用プログラムを呼出し、前記応用プログラムにより前記メッセージ内容を処理するように構成されるアプリ呼出しモジュール３０２と、
前記応用プログラムにより前記メッセージ内容を処理して得た処理結果を受信するように構成される情報受信モジュール３０３と、
前記情報入力インターフェースに、前記ユーザの入力したメッセージを表示するとともに、前記処理結果を処理して表示するように構成される情報表示モジュール３０４を含むことができる。
【００８４】
要するに、当該技術案によれば、ユーザが情報入力インターフェースを介して入力したメッセージを受信し、ユーザの入力したメッセージを認識し；認識されたメッセージ内容に基づき前記メッセージ内容に対応する応用プログラムを呼出し、前記応用プログラムにより前記メッセージ内容を処理し；前記応用プログラムにより前記メッセージ内容を処理して得た処理結果を受信し；情報入力インターフェースに、ユーザの入力したメッセージを表示するとともに、処理結果を処理して表示する。情報入力インターフェースを介して入力したメッセージに基づき対応する応用プログラムを呼出して、メッセージを処理し、その処理結果を表示することにより、一つの情報入力インターフェースにおいて他のアプリの呼出しを可能とすることを実現する。
【００８５】
図４は、別の例示的な実施例に係る情報処理装置４００を示すブロック図である。前記情報処理装置４００は、ソフトウェア、ハードウェア又は両者の組合せにより端末の一部分又は全部を構成することができ、前記端末は、携帯電話、タブレットＰＣ又はスマートＴＶである。前記情報処理装置４００は、
メッセージ内容と応用プログラムの間の呼出し対応関係を決定し、前記対応関係を保存するように構成される情報保存モジュール４０１と、
ユーザが情報入力インターフェースを介して入力したメッセージを受信し、前記ユーザの入力したメッセージを認識するように構成される情報認識モジュール４０２と、
認識されたメッセージ内容に基づき前記メッセージ内容に対応する応用プログラムを呼出し、前記応用プログラムにより前記メッセージ内容を処理するように構成されるアプリ呼出しモジュール４０３と、
前記応用プログラムにより前記メッセージ内容を処理して得た処理結果を受信するように構成される情報受信モジュール４０４と、
前記情報入力インターフェースに、前記ユーザの入力したメッセージを表示するとともに、前記処理結果を処理して表示するように構成される情報表示モジュール４０５を含むことができる。
【００８６】
前記ユーザの入力したメッセージが通信情報であると認識した場合、アプリ呼出しモジュール４０３は、前記端末における住所録を呼出して前記通信情報を前記住所録に伝送し、前記住所録に基づき前記通信情報に対してマッチングの照会を行うように構成されてもよいが、ここで前記住所録は自機中の電話帳又はＩＭアプリにおける住所録を含む。
【００８７】
相応に、図５に示すように、前記ユーザの入力したメッセージが通信情報であると認識した場合、情報表示モジュール４０５は、
前記情報入力インターフェースに、前記ユーザの入力した通信情報を表示するとともに、前記住所録に基づき前記通信情報に対しマッチングの照会を行って得た、前記通信情報とマッチングされる他の通信情報を順に表示するように構成される第１表示サブモジュール４０５１、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記通信情報が保存されている住所録識別子を表示するように構成される第２表示サブモジュール４０５２、又は、
前記情報入力インターフェースに、前記ユーザの入力した通信情報を表示するとともに、前記住所録に基づき前記通信情報に対しマッチングの照会を行った結果、前記通信情報が前記住所録に存在すると確認した場合、前記情報入力インターフェースに、前記通信情報を表記し、表記後の前記通信情報を表示するように構成される第３表示サブモジュール４０５３を含む。
【００８８】
本実施例において、ユーザが情報入力インターフェースを介して入力したものが一つの通信情報（例えば、人名）である場合、端末の自機中の電話帳又は端末にインストールされたＩＭソフトウェアにおける住所録を呼出して前記通信情報をマッチングすることができ、前記通信情報が電話帳又はＩＭソフトウェアにおける住所録に存在する場合、ユーザが選択して使用するように、前記人名に対応する連絡方法（例えば電話、住所、メール又はＩＭソフトウェアのアカウントなど）を候補単語として、情報入力インターフェースの候補単語表示領域に表示する。又は、前記通信情報が電話帳又はＩＭソフトウェアにおける住所録に存在する場合、前記通信情報を有する電話帳又はＩＭソフトウェアの標識を候補単語として、情報入力インターフェースの候補単語表示領域に表示することにより、ユーザが情報入力インターフェースにおいて電話帳又はＩＭソフトウェアをクリックして開くことにより、例えば文字発送又は照会操作を実現できるようにし、デスクトップに戻って電話帳又はＩＭソフトウェアを探す必要がないようにする。又は、前記通信情報が電話帳又はＩＭソフトウェアにおける住所録に存在する場合、前記人名を表記して、ユーザに前記人名がユーザの電話帳又はＩＭソフトウェアの友達の中に存在することを知らせる。
【００８９】
前記ユーザの入力したメッセージが計算式であると認識した場合、アプリ呼出しモジュール４０３は前記端末における電卓を呼出して前記計算式を前記電卓に伝送し、前記電卓で前記計算式を処理するように構成されてもよい。
【００９０】
相応に、図６に示すように、前記ユーザの入力したメッセージが計算式であると認識した場合、情報表示モジュール４０５は、
前記情報入力インターフェースに、前記ユーザの入力した計算式を表示するとともに、前記電卓で前記計算式を処理した計算結果を前記計算式の後に表示するように構成される第４表示サブモジュール４０５４、又は、
前記情報入力インターフェースに、前記ユーザの入力した計算式を表示するとともに、入力情報オプション項目に前記電卓の識別子又は前記電卓で前記計算式を処理した計算結果を表示するように構成される第５表示サブモジュール４０５５を含む。
【００９１】
本実施例において、ユーザが情報入力インターフェースを介して入力したものが一つの計算式である場合、端末にインストールされた電卓のソフトウェアを呼出して前記計算式について計算を行って、計算結果をリターンして一つの候補単語として前記情報入力インターフェースの候補単語表示領域に表示することにより、ユーザが結果を照会又は選択して使用するようにすることができる。
【００９２】
前記ユーザの入力したメッセージが数字であると認識した場合、アプリ呼出しモジュール４０３は前記端末におけるペイアプリを呼出して前記数字を前記ペイアプリに伝送し、前記ペイアプリにより前記数字を処理するように構成されてもよい。
【００９３】
相応に、前記ユーザの入力したメッセージが数字であると認識した場合、情報表示モジュール４０５は、前記情報入力インターフェースに、前記ユーザの入力した数字を表示するとともに、前記ペイアプリの識別子を表示するか、又はユーザに前記数字に関連する振込み操作を行うか否かをプロンプトするように構成される。
【００９４】
当該技術案において、ユーザが情報入力インターフェース（例えば、ショートメッセージの入力インターフェース）に一つの数字を入力した場合、当該端末にインストールされたペイアプリを呼出し、前記ペイアプリにより前記数字に対して例えば費用の差引のような処理を行い、またユーザに該当金額の費用を相手連絡先に送金するか否かをプロンプトすることにより、ユーザがショートメッセージの入力インターフェースにおいて該当費用を相手連絡先に送金できることを実現できる。又は、前記ペイアプリの識別子を一つの候補選択事項として情報入力インターフェースの候補単語表示領域内に表示することにより、ユーザが前記情報入力インターフェースにおいて前記表示されたペイアプリを選択して使用できるようにし、デスクトップに戻って選択する必要がないようにする。
【００９５】
前記ユーザの入力したメッセージが前記通信情報、計算式又は数字以外の単語であると認識した場合、アプリ呼出しモジュール４０３は、前記端末システムを呼出して前記単語を前記端末システムに伝送し、前記端末システムにより前記単語に基づき自機にインストールされたアプリを照会することにより前記単語に対してマッチングを行うように構成される。
【００９６】
相応に、前記ユーザの入力したメッセージが前記通信情報、計算式又は数字以外の単語であると認識した場合、情報表示モジュール４０５は前記情報入力インターフェースに、前記単語を表示するとともに、前記端末にインストールされた、前記単語と関連付けられている応用プログラムの識別子を表示するように構成される。
【００９７】
当該技術案において、ユーザが情報入力インターフェースに、前記通信情報、計算式又は数字以外の単語を入力した場合、当該端末のシステムを呼出して、当該端末にダウンロードおよびインストールされた前記単語と関連する名称のアプリをマッチングすることができ、またマッチングされたアプリの識別子を候補単語の選択事項として情報入力インターフェースの候補単語表示領域に表示することにより、ユーザが選択して使用するようにする。
【００９８】
前記ユーザの入力したメッセージが一つの完全な文章であると認識した場合、アプリ呼出しモジュール４０３は、前記端末にインストールされた所定の応用プログラムを呼出して前記文章を前記所定の応用プログラムに伝送し、前記所定の応用プログラムにより前記文章を処理するように構成されてもよい。
【００９９】
相応に、前記ユーザの入力したメッセージが一つの完全な文章であると認識した場合、情報表示モジュール４０５は、前記情報入力インターフェースに、前記ユーザの入力したメッセージを表示するとともに、前記所定の応用プログラムの識別子を表示するか、又は前記所定の応用プログラムの前記文章に対する処理結果を表示するように構成される。
【０１００】
当該技術案において、ユーザが情報入力インターフェース（例えば、ショートメッセージの入力インターフェース）に一つの文章（例えば"私今××広場の噴水付近にいる"）を入力した場合、端末にインストールされた所定の応用プログラム（例えばマップ）を呼び出すことができ、当該マップにおいて"××広場の噴水"を検索して、検索された住所を情報入力インターフェースにリターンして、ユーザが選択使用するようにすることにより、ユーザが前記情報を編集するとともに、前記情報に関連する情報を迅速に分かるようにする。
【０１０１】
上述の実施例に係る装置において、それぞれのモジュールが操作を行う具体的な形態については、該当する方法実施例において既に詳細に説明を行っているので、ここではその詳細な説明を省略することにする。
【０１０２】
図７に示すように、装置５００は、処理アセンブリ５０２、メモリ５０４、電源アセンブリ５０６、マルチメディアアセンブリ５０８、オーディオアセンブリ５１０、入力／出力（Ｉ／Ｏ）インターフェース５１２、センサアセンブリ５１４及び通信アセンブリ５１６からなる群から選ばれる少なくとも１つを備えてもよい。
【０１０３】
処理アセンブリ５０２は、一般的には、装置５００の全体の操作、例えば、表示、電話呼出し、データ通信、カメラ操作及び記録操作に関連する操作を制御する。処理アセンブリ５０２は、上述の方法におけるステップの一部又は全部を実現できるように、インストラクションを実行する少なくとも１つのプロセッサ５２０を備えてもよい。なお、処理アセンブリ５０２は、他のアセンブリとのインタラクションの便宜上、少なくとも１つのモジュールを備えてもよい。例えば、処理アセンブリ５０２は、マルチメディアアセンブリ５０８とのインタラクションの便利を図るために、マルチメディアモジュールを備えてもよい。
【０１０４】
メモリ５０４は、装置５００における操作を支援するための、各種のデータを記憶するように構成される。これらのデータの例として、装置５００において操作される何れのアプリケーション又は方法に関するインストラクション、連絡先データ、電話帳データ、メッセージ、画像、ビデオ等を含む。メモリ５０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１０５】
電源アセンブリ５０６は、装置５００の各種アセンブリに電力を供給するためのものであり、電源管理システム、１つ又は複数の電源、及び装置５００のために電力を生成、管理及び分配することに関連のある他のアセンブリを備えてもよい。
【０１０６】
マルチメディアアセンブリ５０８は、装置５００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ５０８は、フロントカメラ及び／又はバックカメラを備えてもよい。装置５００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１０７】
オーディオアセンブリ５１０は、オーディオ信号を出力及び／又は入力するように構成される。例えば、オーディオアセンブリ５１０は、マイクロフォン（ＭＩＣ）を有してもよい。装置５００が、例えば呼出しモード、記録モード又は音声認識モードのような操作モードにある場合、マイクロフォンは外部のオーディオ信号を受信するように構成される。受信されたオーディオ信号は、メモリ５０４に記憶されてもよく、通信アセンブリ５１６を介して送信されてもよい。何れかの実施例において、オーディオアセンブリ５１０は、オーディオ信号を出力するためのスピーカをさらに備えてもよい。
【０１０８】
Ｉ／Ｏインターフェース５１２は、処理アセンブリ５０２と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１０９】
センサアセンブリ５１４は、装置５００のために各方面の状態評価を提供するための少なくとも１つのセンサを備えてもよい。例えば、センサアセンブリ５１４は、装置５００のオン／オフ状態や、アセンブリの相対的な位置を検出することができる。例えば、前記アセンブリが装置５００のディスプレイ及びキーパッドである場合、センサアセンブリ５１４は、装置５００又は装置５００の１つのアセンブリの位置の変化や、ユーザと装置５００との接触の有無や、装置５００の方位又は加速／減速や、装置５００の温度変化を検出することができる。センサアセンブリ５１４は、何れの物理的接触もない状況にて付近の物体の有無を検出できるように構成される近接センサを含んでもよい。センサアセンブリ５１４は、さらに、画像表示技術分野に用いられる光センサ、例えばＣＭＯＳ又はＣＣＤ画像センサを含んでもよい。何れかの実施例において、当該センサアセンブリ５１４は、さらに、加速度センサ、ジャイロスコープセンサ、磁気センサ、圧力センサ又は温度センサを含んでもよい。
【０１１０】
通信アセンブリ５１６は、装置５００と他の設備との間の無線又は有線通信が便利になるように構成される。装置５００は、通信標準に基づく無線ネットワーク、例えばＷｉＦｉ、２Ｇ又は３Ｇ、又はそれらの組み合わせにアクセスできる。１つの例示的な実施例において、通信アセンブリ５１６は、ブロードキャストチャンネルを介して外部のブロードキャスト管理システムからのブロードキャスト信号又はブロードキャストに関する情報を受信することができる。１つの例示的な実施例において、前記通信アセンブリ５１６は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ（登録商標））技術及び他の技術により実現されてもよい。
【０１１１】
例示的な実施例において、装置５００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１１２】
例示的な実施例において、さらに、装置５００のプロセッサ５２０により実行されることにより上述の方法を実現可能なインストラクションが記憶され、且つコンピュータに読み取り可能な不揮発性の記録媒体、例えばインストラクションが記憶されているメモリ５０４を提供する。前記コンピュータに読み取り可能な不揮発性の記録媒体は、例えばＲＯＭ、ＲＡＭ、ＣＤ−ＲＯＭ、磁気テープ、フロッピー（登録商標）ディスク及び光データメモリ等であってもよい。
【０１１３】
コンピュータに読み取り可能な不揮発性の記録媒体において、記録媒体におけるインストラクションが装置５００のプロセッサにより実行される場合、装置５００が前記の情報処理方法を実行できるようにする。
【０１１４】
なお、本発明は、上述の説明及び図面により示された特定の構成に限定されず、その範囲を離脱しない範囲で、様々な補正及び変更を実施可能であることを理解すべきである。本発明の範囲は、添付される特許請求の範囲のみにより限定される。
【０１１５】
本発明は、出願番号がＣＮ２０１５１０８６２７３７．９であり、出願日が２０１５年１２月１日である中国特許出願に基づき優先権を主張して、当該中国特許出願のすべての内容を本願に援用する。
【国際調査報告】
2018504865.tif 000010
2018504865.tif 000011
2018504865.tif 000012
2018504865.tif 000013